(57)【要約】【課題】軸上色収差を抑えた撮像レンズを提供する。【解決手段】撮像レンズは、物体側から像側に、物体側に凸面を向けたメニスカス形状で正の屈折力を持つ第１レンズＬ１と、絞りＳと、像側に凸面を向けたメニスカス形状で負の屈折力を持つ第２レンズＬ２と、像側の面が平面または像側に対し凸形状を有している正の屈折力を持つ第３レンズＬ３とを備え、以下の条件式（１）〜（３）を満たす。０．５≦ｆ１／ｆ≦０．９・・・（１）−５≦ｆ２／ｆ≦−０．８・・・（２）２≦ｆ３／ｆ≦１０００  ・・・（３）  ただし、ｆ  ：光学系全体の焦点距離、ｆ１：第１レンズの焦点距離、ｆ２：第２レンズの焦点距離、ｆ３：第３レンズの焦点距離である。【選択図】        図１
2008225332.tif 000002
【特許請求の範囲】
【請求項１】
物体側から像側に、物体側に凸面を向けたメニスカス形状で正の屈折力を持つ第１レンズと、絞りと、像側に凸面を向けたメニスカス形状で負の屈折力を持つ第２レンズと、像側の面が平面または像側に対し凸形状を有している正の屈折力を持つ第３レンズとを備え、
以下の条件式（１）〜（３）を満たすことを特徴とする撮像レンズ。
０．５≦ｆ1／ｆ≦０．９・・・（１）
−５≦ｆ2／ｆ≦−０．８・・・（２）
２≦ｆ3／ｆ≦１０００  ・・・（３）
ただし、
ｆ  ：光学系全体の焦点距離、
ｆ1：第１レンズの焦点距離、
ｆ2：第２レンズの焦点距離、
ｆ3：第３レンズの焦点距離
である。
【請求項２】
更に、以下の条件式（４）〜（６）を満たすことを特徴とする請求項１記載の撮像レンズ。
４０≦νＬ1≦７０・・・（４）
２０≦νＬ2≦３５・・・（５）
νＬ3−νＬ2≧０・・・（６）
ただし、
νＬ1：第１レンズのアッベ数、
νＬ2：第２レンズのアッベ数、
νＬ3：第３レンズのアッベ数
である。
【請求項３】
更に、以下の条件式（７）〜（９）を満たすことを特徴とする請求項１記載の撮像レンズ。
３．３≦Ｒ31≦７．０・・・（７）
−∞≦Ｒ32≦−７    ・・・（８）
１．０≦Ｔ3≦３．０  ・・・（９）
ただし、
Ｒ31：第３レンズの物体側面の曲率半径、
Ｒ32：第３レンズの像側面の曲率半径、
Ｔ3：第３レンズの中心厚み
である。
【請求項４】
前記第１のレンズ、前記第２のレンズまたは前記第３のレンズの少なくとも１枚が非球面プラスチックモールドレンズより構成される
ことを特徴とする請求項１記載の撮像レンズ。
【発明の詳細な説明】
【技術分野】
【０００１】
本発明は、携帯電話やパーソナルコンピュータ（ＰＣ）等に用いられるレンズユニットを構成する撮像レンズに関する。
【背景技術】
【０００２】
近年、携帯電話やパーソナルコンピュータ等に搭載される撮像機器には、高解像度で低コスト化及び小型化が求められている。また、ＣＣＤ（Ｃｈａｒｇｅ−Ｃｏｕｐｌｅｄ Ｄｅｖｉｃｅ），ＣＭＯＳ（Ｃｏｍｐｌｅｍｅｎｔａｒｙ Ｍｅｎｔａｌ−Ｏｘｉｄｅ Ｓｅｍｉｃｏｎｄｕｃｔｏｒ ｄｅｖｉｃｅ）等の撮像素子のセルピッチが小さくなって高画素化する一方で、撮像素子自体の面積が小さくなってきている。そのため、撮像機器の光学系には、従来よりも光学収差、特に、軸上色収差を抑えた高い結像性能と撮像素子に入射する光線の入射角を小さく抑えることが要求される。
【０００３】
このため、携帯電話やパーソナルコンピュータ等に搭載される撮像機器に用いられる従来の撮像レンズとしては、例えば３群３枚構成のレンズが提案されている（例えば、特許文献１参照）。
【０００４】
【特許文献１】特開２００５−３５２３１７号公報
【発明の開示】
【発明が解決しようとする課題】
【０００５】
特許文献１に記載の撮像レンズでは、物体側から順に正の屈折力を有するレンズ、絞り、負の屈折力を有するレンズ及び正の屈折力を有するレンズが配置される構成をとり、非球面を多用することで結像性能の向上を図っている。
【０００６】
しかし、ピクセルサイズが小さく高解像度の撮像素子に使おうとした場合、軸上色収差が大きく十分な解像度を得られないという問題がある。また、全長が長く小型化、特に薄型化に適さないという問題がある。
【０００７】
本発明は、このような課題を解決するためになされたもので、軸上色収差を抑えた撮像レンズを提供することを目的とする。
【課題を解決するための手段】
【０００８】
上述した課題を解決するため、本発明の撮像レンズは、物体側から像側に、物体側に凸面を向けたメニスカス形状で正の屈折力を持つ第１レンズと、絞りと、像側に凸面を向けたメニスカス形状で負の屈折力を持つ第２レンズと、像側の面が平面または像側に対し凸形状を有している正の屈折力を持つ第３レンズとを備え、以下の条件式（１）〜（３）を満たすことを特徴とする。
０．５≦ｆ1／ｆ≦０．９・・・（１）
−５≦ｆ2／ｆ≦−０．８・・・（２）
２≦ｆ3／ｆ≦１０００  ・・・（３）
ただし、
ｆ  ：光学系全体の焦点距離、
ｆ1：第１レンズの焦点距離、
ｆ2：第２レンズの焦点距離、
ｆ3：第３レンズの焦点距離
である。
【０００９】
本発明の撮像レンズは、３群３枚のレンズ構成で実現され、第１レンズのパワーを強くすることにより、光学収差、特に軸上色収差を少なくするのと同時に光学長も短くした。また、第３のレンズは、第１のレンズ及び第２のレンズに比較して大径で、第１のレンズ及び第２のレンズと同じ径の鏡筒部に入れることが出来ないので偏芯する要因が多い。そのため偏芯に対し鈍感にするためなるべくパワーを弱くして、製造に最適な構成にした。
【００１０】
なお、第３のレンズの物体側面の曲率を負にする、すなわち、像側に対し凸形状にすることにより、ゴーストが発生しにくくした。また、撮像素子に対する入射角度を緩くして最適な光学性能が得られるようにした。また、十分なバックフォーカスを取れるようにした。更に、第３レンズは中心厚みを厚くして、軸上色収差を一層補正できるようにした。
【００１１】
また、３枚のレンズを全てプラスチックで構成するようにして、低コストで大量生産できるようにした。
【００１２】
ここで、上述した本発明の撮像レンズと、この撮像レンズにより形成された光学像を電気信号に変換する撮像素子を備えることで、撮像装置を実現することができる。また、このような撮像装置では、焦点位置を制御するオートフォーカス機構を搭載すると良い。オートフォーカス機構を搭載すれば、環境温度変化による焦点位置のずれを補正することができ、３枚のレンズ全てをプラスチックで構成しても、温度変化等に対応可能となる。
【発明の効果】
【００１３】
本発明の撮像レンズによれば、３群３枚の簡単なレンズ構成で、軸上色収差を抑えて高い結像性能を得ることができると共に、光学長を短くできるので、解像度を向上させ、かつ小型化と低コスト化を達成することができる。
【発明を実施するための最良の形態】
【００１４】
以下、図面を参照して本発明の撮像レンズの実施の形態について説明する。
【００１５】
図１は、本実施の形態における実施例１のレンズ構成を示す断面図、図２は、本実施の形態における実施例２のレンズ構成を示す断面図である。
【００１６】
本実施の形態の撮像レンズは単焦点レンズであり、例えば携帯電話や、モバイルＰＣと称されるノート型のパーソナルコンピュータ等の小型情報端末機器等に搭載されている小型撮像装置に代表されるような機器に搭載されて使用されるものである。
【００１７】
撮像レンズ１は、物体側より順に第１レンズＬ1、絞りＳ、第２レンズＬ2、第３レンズＬ3で構成され、各々のレンズは少なくとも１面が非球面形状となっている。この単焦点レンズの結像面Ｉには、例えばＣＣＤやＣＭＯＳなどの撮像素子が配置されることを想定している。また、第３レンズＬ3と結像面Ｉの間には、樹脂またはガラスで構成されるカバーガラスや赤外カットフィルタやローパスフィルタなどの他、光学部材Ｐが配置されていても良い。
【００１８】
撮像素子は、例えば、イメージャーサイズが１／４インチ程度の長方形状の受光面を有する光電変換素子であり、受光面に略格子状に画素が配設され、それぞれの画素ごとの受光量に基づく電気信号を出力する。なお、画素数としては、２００万画素から５００万画素程度を想定している。
【００１９】
撮像素子は、対向する撮像レンズ１の光軸方向の適切な位置に受光面が合うように調整されている。
【００２０】
以上のように構成された撮像装置は、撮像レンズ１により物体像を撮像素子の受光面に結像することで、物体を撮像する。撮像素子は、各画素の受光量に基づく電気信号を制御回路に出力する。なお、制御回路に出力された電気信号は、この制御回路内においてデジタル信号に変換され、画像データとして各種記憶媒体に記録される。
【００２１】
本実施の形態の撮像レンズ１は、以下の条件式（１）〜（９）を満足するように構成されている。
０．５≦ｆ1／ｆ≦０．９・・・（１）
−５．０≦ｆ2／ｆ≦−０．８・・・（２）
２．０≦ｆ3／ｆ≦１０００・・・（３）
４０≦νＬ1≦７０・・・（４）
２０≦νＬ2≦３５・・・（５）
νＬ3−νＬ2≧０・・・（６）
３．３≦Ｒ31≦７．０・・・（７）
−∞≦Ｒ32≦−７・・・（８）
１．０≦Ｔ3≦３．０・・・（９）
【００２２】
ここで、条件式（１）〜（９）で使用される符号の定義は下記の通りである。
ｆ：光学系全体の焦点距離（単位ｍｍ。ｆ1〜ｆ3も同様）
ｆ1：第１レンズＬ1の焦点距離
ｆ2：第２レンズＬ2の焦点距離
ｆ3：第３レンズＬ3の焦点距離
νＬ1：第１レンズＬ1のアッベ数
νＬ2：第２レンズＬ2のアッベ数
νＬ3：第３レンズＬ3のアッベ数
Ｒ31：第３レンズＬ3の物体側面の曲率半径（物体側軸上に頂点を持つ場合を正の符号とする。Ｒ32も同様とする。単位ｍｍ）
Ｒ32：第３レンズＬ3の像側面の曲率半径
Ｔ3：第３レンズＬ3の中心厚み
【００２３】
上記の条件式（１）〜（９）は、以下で説明する実施例１及び実施例２に共通するものであり、必要に応じて適宜採用することで、個々の撮像素子または撮像装置に適したより好ましい結像性能と小型の光学系が実現される。
【００２４】
以下に、条件式の作用について説明する。
【００２５】
本実施の形態の撮像レンズ１は、３群３枚構成のレンズで、物体側から第１レンズＬ1が正のパワーでアッベ数が大、第２レンズＬ2が負のパワーでアッベ数が小、第３レンズＬ3が正のパワーで第２レンズＬ2よりアッベ数が大で、「クックのトリプレット」として広く知られているレンズと同じ基本構成となっており、収差を良く補正する。
【００２６】
本発明では、従来例で軸上色収差が１６μｍであったものを、条件式（１）〜（９）を適宜採用することで、軸上色収差を８．５μｍに抑えている。
【００２７】
条件式（１），（２），（３）は、３枚のレンズのパワー（屈折力）に関するものであり、条件式（４），（５），（６）は、３枚のレンズの硝材の分散に関するものである。条件式（７），（８）は、第３のレンズＬ3の近軸曲率半径に関するものであり、条件式（９）は、第３のレンズＬ3の中心厚みに関するものである。
【００２８】
軸上色収差を小さくするためには、正のパワーのレンズである第１のレンズＬ1か第３のレンズＬ3のどちらか、もしくは両方のパワーを強くすることが必要となる。ここでは、第１のレンズＬ1のパワーを強くすると、同時に光学長も短くなるため、第１のレンズＬ1のパワーを強くした。なお、第１のレンズＬ1の正のパワーが強すぎると偏芯感度が高くなり、製造時に不良が多発する等の問題が生ずる。その最適条件が（１）式である。
【００２９】
第２のレンズＬ2は、強い正のパワーの第１レンズＬ1と正のパワーの第３レンズＬ3で挟まれているため負のパワーになり、軸上色収差を補正する。また、絞りＳに対し第１レンズＬ1と第２レンズＬ2がおおよそ対称形に配置されることによって倍率色収差並びに像面湾曲を補正する。
【００３０】
ここで、条件式（２）の上限を超えると第２のレンズＬ2の負のパワーが強くなりすぎ、偏芯感度が高くなり製造時に不良が多発する等の問題が生ずる。また下限を超えると、軸上色収差の補正が弱くなる。このため最適条件が（２）式となる。
【００３１】
第１レンズＬ1及び第２レンズＬ2は、直径が略同等で、絞りＳを挟んでおおよそ対称な形状をとるため、同軸で同じ半径の鏡筒室に入れることができ、偏芯する要因を少なくすることができる。
【００３２】
一方、第３レンズＬ3は、第２レンズＬ2からの射出光線角度が大きいため、他の２つのレンズよりも径が大きくなる。このため、同軸で第１レンズＬ1及び第２レンズＬ2と同じ半径の鏡筒部に入れることが出来ないので偏芯する要因が多い。そのため偏芯に対し鈍感にするためなるべくパワーを強くしないほうが望ましい。
【００３３】
条件式（３）の下限を超えるとこのように偏芯の影響を受けやすく、製造時に不良が多発する等の問題が発生する。また、上限を超えると、軸上色収差の補正が弱くなる。このため最適条件が（３）式になる。
【００３４】
第３レンズＬ3の物体側面の曲率は、条件式（７）の下限を超えると曲率が小さくなりすぎ、偏芯感度が高くなり、製造上不良が多発する等の問題が発生する。上限を超えると、曲率が大きくなり色収差の補正が弱くなり適さない。
【００３５】
第３レンズＬ3の像側面は、条件式（８）の下限を超え曲率が正になった場合、光軸近傍よりも周辺の面が像側に突出する形状となり、撮像素子で反射した光が、また第３レンズＬ3の像側面で反射しゴーストを発生しやすい形状となるため好ましくない。
【００３６】
同時に、このようにゴーストが発生しやすい形状の場合、周辺の光をより周辺に跳ね上げることになるので、撮像素子に対する入射角度がきつくなり、好ましくない。更に、突出部によりバックフォーカスが短くなってしまうという問題も起こる。
【００３７】
また条件式（８）の上限を超え、曲率が小さくなると像面湾曲がマイナスになり補正が困難となる。それゆえ十分なバックフォーカスを確保し、望ましいカメラ性能を確保する最適条件が（８）式になる。
【００３８】
同時に、第３レンズＬ3は、中心厚みが厚い程、軸上色収差をよく補正する。このため、条件式（９）の下限を超えると軸上色収差の補正が弱い。しかし、条件式（９）の上限を超え厚くしすぎると、光学長を短くすることが出来ない。よって最適条件が（９）式となる。
【実施例】
【００３９】
以下に、本発明を適用した撮像レンズの構成を、数値データ及び収差図を挙げて、更に具体的に説明する。
【００４０】
各実施例のレンズ構成データにおいて、Ｒは、物体側から数えた面番号ｉ（ｉ＝１，２，・・・）で特定される面の曲率半径（ｍｍ）を示し、ｄは、面番号ｉで特定される面の軸上面間隔（ｍｍ）を示す。また、ｎは、面番号ｉで特定される光学要素のｄ線（５８８ｎｍ）に対する屈折率を示し、νｄは、面番号ｉで特定される光学要素のｄ線に対するアッベ数を示している。
【００４１】
ここで、第１面（面番号１）は、第１レンズＬ1の物体側の面、第２面は、第１レンズＬ1の像側の面を示す。また、第３面は、第２レンズＬ2の物体側の面、第４面は、第２レンズＬ2の像側の面を示す。更に、第５面は、第３レンズＬ3の物体側の面、第６面は、第３レンズＬ3の像側の面を示す。なお、第７面は、カバーガラスの物体側の面、第８面は、がバーガラスの像側の面を示す。
【００４２】
また、第１〜第３レンズの第１面〜第６面は、非球面で構成されている。この非球面の形状は、次の（１０）式で表される。但し、光軸からの高さがｙとなる非球面上の座標点の非球面頂点の接平面からの距離をｘとし、非球面頂点の曲率（１／ｒ）をｃとする。また、Ｋは円錐係数を表し、Ａ，Ｂ，Ｃ，Ｄ，Ｅ及びＦは、それぞれ、４次、６次、８次、１０次、１２次及び１４次の非球面係数を表すものである。
【００４３】
【数１】
2008225332.tif 000003
【００４４】
図３及び図４は、実施例１及び実施例２の諸収差（左から順に、球面収差及び色収差、非点収差、歪曲収差）を示すグラフである。球面収差及び色収差では、破線（ｄ）が５８７．５６ｎｍ（ｄ線）での球面収差と色収差、実線（ｅ）が５４６．０７ｎｍ（ｅ線）での球面収差と色収差、一点鎖線（Ｆ）が４８６．１３ｎｍ（Ｆ線）での球面収差と色収差を示すものである。非点収差では、実線（Ｓ）がサジタルの像面、破線（Ｍ）がメリジオナルの像面を表すものである。歪曲収差では、横軸は歪曲％で表わすものである。
【００４５】
＜実施例１＞
実施例１の撮像レンズは、３群３枚構成のレンズで、例えば、イメージャーサイズが１／４．５インチで２００万画素の撮像素子に物体像を結像することを想定している。撮像レンズは、物体側から第１レンズＬ1がプラスチックモールドの非球面で正のパワーを持っておりアッベ数が５５．８、次に絞りＳがあり、第２レンズＬ2がプラスチックモールドの非球面で負のパワーを持っておりアッベ数２４．０、第３レンズＬ3がプラスチックモールドの非球面で正のパワーを持っておりアッベ数が５５．８という構成となっている。
【００４６】
また、第１レンズＬ1は物体側に凸面を向けたメニスカス形状をしており、第２レンズＬ2は像側に凸面を向けたメニスカス形状をしており、第３レンズＬ3は両凸レンズで厚みが１．４１４ｍｍと厚く、３枚の相乗効果で、図３に示すように収差を良く補正する。本発明では、軸上色収差を８．５μｍに抑えている。諸パラメータは以下の表１に示す。
【００４７】
【表１】
2008225332.tif 000004
【００４８】
実施例１レンズ構成データ
面番号          Ｒ          ｄ          ｎ          νｄ
１              0.864       0.518      1.530        55.8
２              2.399       0.427
３             -0.543       0.330      1.627        24.0
４             -0.838       0.080
５              4.262       1.414      1.530        55.8
６             -1100.0      0.300
７              ∞          0.300      1.517        64.2
８              ∞
【００４９】
実施例１非球面データ
第１面
Ｋ＝0.049，Ａ＝0.355E-01，Ｂ＝0.165E+00，Ｃ＝-0.704E+00，Ｄ＝0.157E+01，
Ｅ＝0.173E+01，Ｆ＝-0.952E+01
第２面
Ｋ＝-3.757，Ａ＝0.546E-01，Ｂ＝0.160E-01，Ｃ＝-0.3370E+01，Ｄ＝0.278E+01，
Ｅ＝149E-06，Ｆ＝0.224E-07
第３面
Ｋ＝0.122，Ａ＝0.709E+00，Ｂ＝0.163E+01，Ｃ＝0.327E+01，Ｄ＝0.968E-01，
Ｅ＝0.194E-07，Ｆ＝0.347E-07
第４面
Ｋ＝-0.976，Ａ＝0.217E+00，Ｂ＝0.425E+00，Ｃ＝0.302E+00，Ｄ＝-0.821E+00，
Ｅ＝-0.150E+01，Ｆ＝0.236E+01
第５面
Ｋ＝2.901，Ａ＝0.296E-02，Ｂ＝-0.195E-02，Ｃ＝-0.346E-02，Ｄ＝0.104E-02，
Ｅ＝0.266E-03，Ｆ＝-0.192E-03
第６面
Ｋ＝40.00，Ａ＝-0.757E-01，Ｂ＝0.267E-01，Ｃ＝-0.457E-02，Ｄ＝-0.549E-03，
Ｅ＝0.443E-03，Ｆ＝-0.825E-04
【００５０】
実施例１各種構成データ
ｆ（焦点距離）＝３．１９ｍｍ
Ｆナンバー（開口数）＝３．２
ω（半画角）＝３２．５ｄｅｇ
Ｈ（レンズ全長）＝４．００ｍｍ
【００５１】
＜実施例２＞
実施例２の撮像レンズは、３群３枚構成のレンズで、例えば、イメージャーサイズが１／４インチで３００万〜５００万画素の撮像素子に物体像を結像することを想定している。撮像レンズは、物体側から第１レンズＬ1がプラスチックモールドの非球面で正のパワーを持っておりアッベ数が５５．８、次に絞りＳがあり、第２レンズＬ2がプラスチックモールドの非球面で負のパワーを持っておりアッベ数２４．０、第３レンズＬ3がプラスチックモールドの非球面で正のパワーを持っておりアッベ数が５５．８という構成となっている。
【００５２】
また、第１レンズＬ1は物体側に凸面を向けたメニスカス形状をしており、第２レンズＬ2は像側に凸面を向けたメニスカス形状をしており、第３レンズＬ3は両凸レンズで厚みが２．３７３ｍｍと厚く、３枚の相乗効果で、図４に示すように収差を良く補正する。本発明では、軸上色収差を８．５μｍに抑えている。諸パラメータは表１に示す。
【００５３】
実施例２レンズ構成データ
面番号          Ｒ          ｄ          ｎ          νｄ
１              0.993       0.641      1.530        55.8
２              2.779       0.535
３             -0.671       0.471      1.627        24.0
４             -1.181       0.080
５             -4.193       2.373      1.530        55.8
６             -1100.0      0.300
７              ∞          0.300      1.517        64.2
８              ∞
【００５４】
実施例２非球面データ
第１面
Ｋ＝-0.073，Ａ＝0.416E-01，Ｂ＝0.422E-01，Ｃ＝0.315E-01，Ｄ＝-0.153E+00，
Ｅ＝0.713E+00，Ｆ＝-0.840E+00
第２面
Ｋ＝-0.209，Ａ＝0.590E-01，Ｂ＝-0.242E+00，Ｃ＝0.121E+01，Ｄ＝-0.649E+01，
Ｅ＝0.947E+01，Ｆ＝-0.158E-07
第３面
Ｋ＝0.213，Ａ＝0.328E+00，Ｂ＝0.409E-01，Ｃ＝0.259E+01，Ｄ＝-0.302E+01
Ｅ＝0.224E-07，Ｆ＝0.668E-08
第４面
Ｋ＝-1.294，Ａ＝0.332E-01，Ｂ＝0.338E-01，Ｃ＝0.1012E+00，Ｄ＝0.225E+00
Ｅ＝-0.598E+00，Ｆ＝0.291E+00
第５面
Ｋ＝-10.00，Ａ＝-0.181E-01，Ｂ＝0.265E-01，Ｃ＝-0.922E-02，Ｄ＝-0.358E-02
Ｅ＝0.338E-02，Ｆ＝-0.735E-03
第６面
Ｋ＝-40.00，Ａ＝-0.390E-01，Ｂ＝0.240E-02，Ｃ＝0.827E-04，Ｄ＝0.209E-04
Ｅ＝0.299E-04，Ｆ＝-0.756E-05
【００５５】
実施例２各種構成データ
ｆ（焦点距離）＝ ３．９１ｍｍ
Ｆナンバー（開口数）＝３．２
ω（半画角）＝３０．００ｄｅｇ
Ｈ（レンズ全長）＝５．０ｍｍ
【産業上の利用可能性】
【００５６】
本発明を適用した撮像レンズは、携帯電話やモバイルＰＣ等に内蔵または外付けされるカメラに用いられるのみならず、デジタルスチルカメラ、ビデオカメラ等に内蔵又は外付けされるカメラに用いることができる。
【図面の簡単な説明】
【００５７】
【図１】本実施の形態における実施例１のレンズ構成を示す断面図である。
【図２】本実施の形態における実施例２のレンズ構成を示す断面図である。
【図３】実施例１の諸収差を示すグラフである。
【図４】実施例２の諸収差を示すグラフである。
【符号の説明】
【００５８】
Ｌ1・・・第１レンズ、Ｌ2・・・第２レンズ、Ｌ3・・・第３レンズ
【図１】
2008225332.tif 000005
【図２】
2008225332.tif 000006
【図３】
2008225332.tif 000007
【図４】
2008225332.tif 000008